(57)【特許請求の範囲】
【請求項１】
曲げ罫線を境界として連設された四面の方形面と、この四面の各方形面の両側にそれぞれ曲げ罫線を境界として連設された内フラップと外フラップとを有する展開形状をなし、前記各曲げ罫線の折曲げにより前記方形面によって周側面が構成され、前記内フラップと外フラップによりそれぞれ蓋と底とが構成される六面体の段ボール箱よりなる換気扇包装箱であって、前記各方形面と前記内フラップと外フラップとの境界である前記曲げ罫線について、その外フラップに対する曲げ罫線より内フラップに対する曲げ罫線を内側に段差をもって前記外フラップの曲げ罫線に対して不連続直線状に形成し、前記蓋を構成する前記内フラップの外縁に折曲げにより当該部が二重構造になる曲げ辺縁部を隣接する前記外フラップ側の両側と当該内フラップの外縁とに連続して逆コ状に形成し、換気扇の前面を構成しているグリルを、前記外フラップと前記内フラップとによる蓋側にして蓋との間に隙間を保持して収納するようにした換気扇包装箱。
【発明の詳細な説明】
【０００１】
【発明の属する技術分野】
本発明は、前面にグリルを備えた換気扇を包装する段ボール紙製の換気扇包装箱に関するものである。
【０００２】
【従来の技術】
上記この種の包装箱及び換気扇包装箱は、ＪＩＳ―Ａ１形式のものであり、図９に示すような展開形状をしている。即ち、曲げ罫線３０を境界として連設された四面の方形面３１の両側に、それぞれ曲げ罫線３０を境界として内フラップ３２と外フラップ３３とが連接されている。四面の方形面３１により段ボール箱の周側面が形成され、一方側の二面の外フラップ３３と二面の内フラップ３２とにより底が形成され、他方側の二面の外フラップ３３と二面の内フラップ３２とにより蓋が形成される。外フラップ３３と内フラップ３２の曲げ罫線３０は同一直線上に形成され、内フラップ３２を曲げ込みその外側に外フラップ３３を曲げ重ねることにより蓋及び底の組立てが行なわれるものである。こうした段ボール箱は各種の物品の包装箱として広く用いられていて、特公平８―１８６２４号公報に示されているように換気扇包装箱としても従来から採用されてきた。
【０００３】
換気扇包装箱を使って換気扇を包装する場合には、上記公報にも示されているようにホルダー等の緩衝部材を換気扇と換気扇包装箱との間に介在させ、換気扇の保護が図られる。しかし、資源の節約やゴミの削減、コストの低減といった課題を達成するために緩衝部材を極力少なくしようとする工夫が講じられてきている。例えば、換気扇のフレームやグリルの強度を少し高くし、包装にあたっては図１０に示すようにホルダー等の緩衝部材を無くし、段ボール箱と換気扇３４との間に隙間を持たせ、段ボール箱そのものに緩衝機能をもたせる仕方も行なわれてきている。
【０００４】
【発明が解決しようとする課題】
上記のような従来の段ボール箱及び換気扇包装箱においては、底や蓋を構成する外フラップ３３と内フラップ３２の曲げ罫線３０が同一直線上に形成されているため、底及び蓋を組立てて箱体となして、封緘テープ等により封緘すると、図１０に示すように外フラップ３３で内フラップ３２の曲げ罫線３０付近が押し付けられることになり、内フラップ３２が内部に斜めに入込むことになる。この状態で保管や荷役時に圧縮荷重がかかると、図１１に示すように内フラップ３２の自由端側の入り込みが一段と増し、収納した物品によっては内フラップ３２により損傷を受けるといった問題点がある。換気扇３４では図１１に示すようにグリル３５の中央の強度的に弱い部分に内フラップ３２が当ることになり、グリル３５が損傷を受けやすい。
【０００５】
本発明は、上記した従来の問題点を解消するためになされたものであり、その課題とするところは、包材の縮少とコストの削減を図りうるとともに、圧縮荷重の印加によっても内フラップの入り込みが殆どない換気扇包装箱を得ることである。
【０００６】
【課題を解決するための手段】
前記課題を達成するために請求項１の発明は、曲げ罫線を境界として連設された四面の方形面と、四面の各方形面の両側にそれぞれ曲げ罫線を境界として連設された内フラップと外フラップとを有する展開形状をなし、その各曲げ罫線の折曲げにより方形面によって周側面が構成され、内フラップと外フラップによりそれぞれ蓋と底とが構成される六面体の段ボール箱よりなる換気扇包装箱について、その各方形面と内フラップと外フラップとの境界である曲げ罫線について、外フラップに対する曲げ罫線より内フラップに対する曲げ罫線を内側に段差をもって外フラップの曲げ罫線に対して不連続直線状に形成し、蓋を構成する内フラップの外縁に折曲げにより当該部が二重構造になる曲げ辺縁部を隣接する外フラップ側の両側と当該内フラップの外縁とに連続して逆コ状に形成し、換気扇の前面を構成しているグリルを、外フラップと内フラップとによる蓋側にして蓋との間に隙間を保持して収納するようにする手段を採用する。
【００１４】
【発明の実施の形態】
次に本発明の実施の形態を図面に基づいて説明する。
実施の形態１．
図１〜図３に示すこの実施の形態１の段ボール箱１は、有底有蓋の六面体をなすＪＩＳ―Ａ１形式のものである。段ボール箱１の展開形状は、図１に示すように曲げ罫線２を境界として連設された四面の方形面３と、この四面の各方形面３の両側にそれぞれ曲げ罫線４，５を境界として連設された内フラップ６と外フラップ７とを有する平板態の段ボールシートである。四面の方形面３は段ボール箱１の正面と背面及び両妻面を構成するものであり、最端部の一方に位置する方形面３には、もう一方の最端部に位置する方形面３と連結するための固定片８が連設されている。外フラップ７は一つおきの方形面３の両側に設けられ、内フラップ６は外フラップ７の設けられた方形面３に隣接する方形面３の両側に設けられている。
【００１５】
方形面３と内フラップ６と、方形面３と外フラップ７との境界である曲げ罫線４，５は、外フラップ７に対する曲げ罫線５より内フラップ６に対する曲げ罫線４が内側に段差αをもって外フラップ７の曲げ罫線５に対して不連続直線状に形成されている。この段差αは、基本的には段ボール紙の厚み以上の寸法であり、実際には３ｍｍ〜８ｍｍ程度に設定される。この段ボールシートを各曲げ罫線２，４，５を全て山折り又は谷折りに折曲げ、最端部の一方に位置する方形面３と、もう一方の最端部に位置する方形面３とを固定片８において接着剤等で連結固定することにより、六面体の段ボール箱１として組立てることができる。この段ボール箱１は、各方形面３により周側面が構成され、内フラップ６と外フラップ７によりそれぞれ蓋９と底１０とが構成される。底１０及び蓋９を構成するそれぞれ二枚ずつの外フラップ７と内フラップ６は、各内フラップ６を曲げ罫線４で曲げ込んだ後に、各外フラップ７を曲げ罫線５で曲げ込み、内フラップ６の外側に外フラップ７を重ね合わせて組立てる。物品１１を収納するにあたっては、底１０の外フラップ７同士の自由端側の合わせ部分を封緘テープ１２等で封緘し、物品１１を収納してから蓋９の内フラップ６を折り曲げた後、外フラップ７を折り曲げ外フラップ７同士の自由端側の合わせ部分を封緘テープ１２等で封緘する。
【００１６】
この段ボール箱１は、底１０や蓋９を構成する外フラップ７と内フラップ６の曲げ罫線５，４が同一直線上に形成されておらず、内フラップ６の曲げ罫線４が外フラップ７の曲げ罫線５より段差αをもって内側に入り込んでいるため、底１０及び蓋９を組立てて封緘テープ１２等により封緘しても、図２に示すように外フラップ７で内フラップ６の曲げ罫線４付近が押し付けられることもなく、内フラップ６が段ボール箱１の内部に斜めに入り込むことが殆どない。従って、保管や荷役時に圧縮荷重が印加されても内フラップ６の自由端側の入り込みが起きないので、収納した物品１１が内フラップ６により損傷することを回避できる。段ボール箱１においては、底１０は収納する物品１１の荷重がかかるので、底１０の外フラップ７と内フラップ６については、必ずしも段差αを設定しなくてもよいが、比較的軽量な物品１１をホルダー等の緩衝部材を排除して包装するには、段ボール箱１と物品１１との間に緩衝のための隙間１３を設定することになるため、底１０と蓋９の双方の外フラップ７と内フラップ６に段差αを設定した方が良い。
【００１７】
このようにこの実施の形態１の段ボール箱１は、その蓋９側に強度的に弱い部分が位置するような物品１１の収納に適している。例えば、図２に示す物品１１のようにフレーム１４の前面にグリル１５を備えた換気扇１６を緩衝部材等を用いずに包装する換気扇包装箱に適用することができる。この種の換気扇１６はプラスチック等で形成されたグリル１５が損傷を受け易く、ホルダー等の緩衝部材を用いずに、段ボール箱１に緩衝機能を果たさせる包装形態を採るのには、内フラップ６の入り込みのないこの段ボール箱１は、圧縮荷重が印加されてもグリル１５に内フラップ６が当ることもないので好適であり、換気扇包装に係る包材の縮少も可能になる。
【００１８】
実施の形態２．
図４〜図６によって示すこの実施の形態２は、段ボール紙による換気扇包装箱に関するものであり、基本的な構成は実施の形態１で示した段ボール箱１と同じである。従って、実施の形態１のものと同一又は相当部分については実施の形態１のものと同じ符号を用い、それらについての説明は省略する。
【００１９】
この換気扇包装箱１は、特に図３で示したような前面を構成するグリル１５が中央に向って高くなるように湾曲した換気扇１６を、緩衝部材なしに包装するためのものである。このような構成の換気扇１６ではグリル１５の中央部分に圧縮荷重がかかるとグリル１５が損傷し易い。そのために、換気扇包装箱１に圧縮荷重が印加されても、蓋９側に向けられて収められたグリル１５の中央には荷重がかからないように、図４に示すように内フラップ６の外縁に折曲げにより当該部が二重構造になる曲げ辺縁部１７が形成されている。曲げ辺縁部１７は、蓋９を構成する各内フラップ６の隣接する外フラップ７側の両側に対して切込み１８と曲げ罫線１９とにより矩形に画成され、曲げ罫線１９において折り曲げることで、図５に示すように蓋９の内フラップ６の方形面３寄りの四箇所が二重構造（外フラップ７を合わせると三重構造）となる。
【００２０】
換気扇１６は図５に示すように、モーター２０の端面が換気扇包装箱１の底面に当るようにグリル１５を蓋９側にして周囲に隙間１３ができる状態に収められるが、保管や荷役時に圧縮荷重が印加されると、図６に示すように蓋９が内側に沈むことになる。しかしながら、蓋９の四箇所の二重構造部分がグリル１５の強度的に強い四隅部に当り、グリル１５の中央は四箇所の二重構造部分の内側の空間２１に保持されるため、グリル１５の損傷は回避されることになる。ただし、内フラップ６に曲げ辺縁部１７を構成したこの換気扇包装箱１は、フラットなグリル１５の換気扇１６にも適用でき、内側に支持構造のない比較的弱いグリル１５の中央部分に圧縮荷重をかけないようにすることができる。これ以外の構成及び機能は実施の形態１の段ボール箱１と同じである。
【００２１】
実施の形態３．
図７と図８によって示すこの実施の形態３は、実施の形態２と同様に段ボール紙による換気扇包装箱に関するものであり、基本的な構成は実施の形態１，２で示した段ボール箱１ないしは換気扇包装箱１と同じである。従って、実施の形態１，２のものと同じ部分については実施の形態１，２のものと同じ符号を用い、それらについての説明は省略する。
【００２２】
この実施の形態３の換気扇包装箱１は、展開図を図７に示すように、蓋９を構成する内フラップ６の曲げ辺縁部１７が、隣接する外フラップ７側の両側と当該内フラップ６の外縁とに連続して逆コ状に形成されている。この曲げ辺縁部１７を曲げ罫線１９で折り曲げると図８に示すように二つの曲げ辺縁部１７が内フラップ６の外側において向き合い当該部が二重構造（外フラップ７を合わせると三重構造）となる。これにより、実施の形態２のものと同様にグリル１５の中央部分は二つの曲げ辺縁部１７に囲まれる空間によって保護され、圧縮荷重が印加されても強度的に強いグリル１５の周辺部の広い範囲によって担われることになり、実施の形態２のものより圧縮荷重に対する耐性を高くすることができる。また、内フラップ６の幅方向にかかる荷重に対しても曲げ辺縁部１７が連続していて支保作用を果たし得るため、耐性が高くなる。これ以外の構成及び機能は実施の形態１のものと同じである。
【００２３】
【発明の効果】
以上実施の形態での説明からも明らかなように、本発明によれば包材の縮少とコストの削減を図りうるとともに、圧縮荷重の印加によっても内フラップの入り込みが殆どない換気扇包装箱が得られる。
【図面の簡単な説明】
【図１】  実施の形態１の段ボール箱の展開図である。
【図２】  実施の形態１の段ボール箱の断面図である。
【図３】  実施の形態１の段ボール箱に収納する物品の一例としての換気扇を示す正面図である。
【図４】  実施の形態２の換気扇包装箱の展開図である。
【図５】  実施の形態２の換気扇包装箱の断面図である。
【図６】  実施の形態２の換気扇包装箱に圧縮荷重がかかった状態の断面図である。
【図７】  実施の形態３の換気扇包装箱の展開図である。
【図８】  実施の形態３の換気扇包装箱を外フラップを除いて示す平面図である。
【図９】  従来の段ボール箱の展開図である。
【図１０】  従来の換気扇包装箱の断面図である。
【図１１】  従来の換気扇包装箱に圧縮荷重がかかった状態の断面図である。
【符号の説明】
１  段ボール箱（換気扇包装箱）、  ２  曲げ罫線、  ３  方形面、  ４  曲げ罫線、  ５  曲げ罫線、  ６  内フラップ、  ７  外フラップ、  ９  蓋、  １０  底、  １３  隙間、  １５  グリル、  １６  換気扇、  １７  曲げ辺縁部、  １８  切込み、  １９  曲げ罫線、  ２１  空間。
【図１】
0003726483.tif 000002
【図２】
0003726483.tif 000003
【図３】
0003726483.tif 000004
【図４】
0003726483.tif 000005
【図５】
0003726483.tif 000006
【図６】
0003726483.tif 000007
【図７】
0003726483.tif 000008
【図８】
0003726483.tif 000009
【図９】
0003726483.tif 000010
【図１０】
0003726483.tif 000011
【図１１】
0003726483.tif 000012